【事件の表示】
　特願２００３−２７０６３２号「洗濯乾燥機」拒絶査定不服審判事件〔平成１７年　１月２７日出願公開、特開２００５−　２１６０１号〕について、次のとおり審決する。
【結　論】
　本件審判の請求は、成り立たない。
【理　由】
１　手続の経緯
　
　本件出願は、平成１５年　７月　３日を出願日とする出願であって、平成２０年１０月１７日付けで拒絶査定がなされ、これに対し、同年１１月２０日に本件審判請求がなされるとともに同年１１月２６日付けで手続補正（前置補正）がなされ、当審合議体による平成２２年　２月　５日付けの拒絶理由通知に応答して、平成２２年　４月　７日付けで手続補正がなされたものである。　
　
　
２　本願発明
　
　本件出願の請求項１〜３に係る発明は、平成２２年　４月　７日付け手続補正書により補正された特許請求の範囲の請求項１〜３に記載された事項により特定されるとおりのものと認められるところ、請求項１は次のとおり記載されている。
「【請求項１】
　洗濯物を収容する洗濯槽と、この洗濯槽内の前記洗濯物を洗濯する洗濯手段と、洗濯槽内の前記洗濯物を乾燥させる乾燥手段とを有し、
　その乾燥手段が、前記洗濯槽内の空気を循環させる循環装置と、その循環空気を下部から上部へ通すと共に該循環空気の除湿をする除湿器とを具備するものにおいて、
　前記除湿器にこれの清掃に必要な量の給水を、該除湿器における前記循環空気の流れ方向と対向する向きで上部より行う給水装置を具え、
　その給水装置による給水を、前記洗濯物を乾燥させる乾燥行程中の、前記循環装置による前記洗濯槽内空気の循環を開始させた後に、該洗濯槽内空気の循環を停止させた状態で実行することを特徴とする洗濯乾燥機。」
（以下「本願発明」という。）　
　
　
３　引用刊行物とその記載事項
　
（１）刊行物１の記載内容
　
（１−１）刊行物１に記載された事項
　
　当審の拒絶理由で引用した、本願の出願よりも前に頒布された刊行物である特開平１１−３３３１８５号公報（以下「刊行物１」という。）には、図面とともに、次の技術的事項が記載されている。
　
（ア）「【０００２】
【従来の技術】従来、この種のドラム式洗濯乾燥機は図７および図８に示すように構成していた。以下、その構成について説明する。
【０００３】図に示すように、ドラム１は、外周部に多数の通水孔２を全面に設け、水槽３内に回転自在に配設している。ドラム１の回転中心に略水平方向に設けた回転軸４の一端を固定し、回転軸４の他端にドラムプーリー５を固定している。モータ６は、ベルト７によりドラムプーリー５と連結し、ドラム１を回転駆動する。ドラム１の開口部に蓋８を開閉自在に設けている。
・・・・・
【０００８】上記構成において動作を説明すると、蓋８を開いてドラム１内に洗濯物を投入し、運転を開始すると、洗濯行程では、ドラム１はモータ６によって低速で回転駆動され、ドラム１内の洗濯物は持ち上げられて水面上に落下される。こうして洗濯行程が進行する。洗濯行程の後、排水ポンプ２３を駆動して水槽３内の洗濯水を排水し、すすぎ行程に入る。
・・・・・
【００１１】その後、乾燥行程では、送風ファン１６および温風ヒータ１７を駆動し、水槽３、熱交換器１４を通過する一連の経路を熱風が循環する。さらに乾燥用給水弁２２を動作させて熱交換器１４内に給水し、熱交換器１４内で湿った熱風と接触し、熱交換して除湿を行う。」
　
（イ）「【００２４】
【実施例】以下、本発明の実施例について、図面を参照しながら説明する。なお、従来例と同じ構成のものは同一符号を付して説明を省略する。
【００２５】（実施例１）図１および図２に示すように、制御装置２５は、モータ６、ヒータ１３、送風ファン（送風手段）１６、温風ヒータ（加熱手段）１７、洗濯用給水弁２０、柔軟仕上剤用給水弁２１、乾燥用給水弁２２、排水ポンプ２３などの動作を制御し、洗濯、すすぎ、脱水、乾燥などの各行程を逐次制御するもので、図３に示すように構成している。」
　
（ウ）「【００３６】（実施例３）図３に示す制御手段２６は、乾燥行程にて、乾燥用給水弁（給水手段）２２を駆動し、第１の所定量（たとえば０.５L/min）の冷却水を熱交換器１４へ供給するとともに、所定時に第１の所定量よりも多い第２の所定量（たとえば５L/min）で冷却水を供給するよう構成している。他の構成は上記実施例１と同じである。
・・・・・
【００３９】なお、乾燥行程の所定時間間隔で第１の所定量（０.５L/min）より多量の第２の所定量（５L/min）の冷却水を所定時間間隔、たとえば１５分毎に流すことによっても、乾燥行程にて排気ホース１５および熱交換器１４の下部に徐々に堆積してくる糸くず等を定期的に素早く流すことができる。」
　
（エ）「【００４４】（実施例５）図６に示すように、第１の乾燥用給水弁（第１の給水手段）２２ａは、第１の所定量（たとえば０.５L/min）の冷却水を熱交換器１４へ供給するものであり、第２の乾燥用給水弁（第２の給水手段）２２ｂは、第２の所定量（たとえば５L/min）の冷却水を熱交換器１４へ供給するものである。
【００４５】制御手段３４は、乾燥行程にて第１の乾燥用給水弁２２ａを駆動して第１の所定量の冷却水を熱交換器１４へ供給するとともに、所定時に第２の乾燥用給水弁２２ｂを駆動して第２の所定量で冷却水を供給するよう構成している。他の構成は上記実施例３と同じである。
【００４６】上記構成において動作を説明すると、乾燥行程にて、第１の乾燥用給水弁２２ａにより熱交換器１４へ供給する冷却水の第１の所定量は、水槽３、熱交換器１４を通過する一連の経路を循環する熱風を除湿するために必要な冷却水量であり、極端に糸くず等の発生が多量の衣類を乾燥した場合には、これらを乾燥行程途中には流すことができず堆積してくる。
【００４７】そこで、所定時に第２の乾燥用給水弁２２ｂを駆動して第２の所定量で冷却水を供給することによって、乾燥行程にて排気ホース１５および熱交換器１４の下部に徐々に堆積してくる糸くず等を素早く流すことができる。
【００４８】これにより、乾燥行程にて排気ホース１５および熱交換器１４の下部に堆積してくる糸くず等をより確実に洗い流すことができる。」　
　
　
（１−２）刊行物１の記載及び図面より、刊行物１に記載されていることが明らかな事項
　
　（ａ）上記摘記事項（ア）より、ドラム１内の洗濯物を洗濯する洗濯手段を有することは明らかである。
　
　（ｂ）上記摘記事項（ア）より、ドラム１内の洗濯物を乾燥させる乾燥手段を有することは明らかである。
　
　（ｃ）上記摘記事項（エ）より、第２の乾燥用給水弁２２ｂは熱交換器１４にこれの清掃に必要な量の給水を行うものであることが明らかである。
　
　（ｄ）上記摘記事項（ウ）及び（エ）には、乾燥行程にて第２の乾燥用給水弁２２ｂによる給水を行う点が記載されている。乾燥行程は上記摘記事項（ア）より空気の加熱と空気の循環を含むことが明らかであり、すなわち、刊行物１に記載の技術は、第２の乾燥用給水弁２２ｂによる給水を、循環装置による洗濯槽内空気の循環を開始させ、乾燥行程となった時点以降に実行することは明らかである。　
　
　
（１−３）引用発明
　
　すると、刊行物１には、次の発明（以下「引用発明」という。）が開示されているということができる。
　
「洗濯物を収容するドラム１と、このドラム１内の前記洗濯物を洗濯する洗濯手段と、ドラム１内の前記洗濯物を乾燥させる乾燥手段とを有し、
　その乾燥手段が、前記ドラム１内の空気を循環させる送風ファン１６と、該循環空気の除湿をする熱交換器１４とを具備するものにおいて、
　前記熱交換器１４にこれの清掃に必要な量の給水を行う第２の乾燥用給水弁２２ｂを具え、
　その第２の乾燥用給水弁２２ｂによる給水を、前記洗濯物を乾燥させる乾燥行程中の、前記循環装置による前記洗濯槽内空気の循環を開始させた後に実行する洗濯乾燥機。」
　
　
（２）刊行物２の記載内容
　
　当審の拒絶理由に引用した、本願の出願よりも前に頒布された刊行物である特開平１１−３４７２９６号公報（以下「刊行物２」という。）には、図面とともに、次の技術的事項が記載されている。
　
（オ）「【００３１】脱水行程が終了すると、乾燥行程に入る。この乾燥行程では、洗濯行程と同様にクラッチ１５により、洗濯入力軸１３と脱水軸４とが切り離され、駆動モータ１４の回転は脱水軸４には非伝達となって、洗濯入力軸１３、減速機構１１、洗濯軸９を介してパルセータ１２に伝達されるのみとなり、脱水軸４、及び脱水軸４に固定された洗濯槽７はそれぞれ停止状態に固定される。この状態で先ず仕切弁２９がその通路を開き、排水弁３０もその通路を開いたままで一定時間、熱交換器２２の上方を形成する水平部２３に設けられた温風冷却用の水供給口２５から水を多量（毎分約２０００ｃｃ）に供給する。多量に供給された水は水平部２３、垂直部２４の内壁を流れ、リント等を排水弁３０の後方へ洗い流してくれる。そして洗い流されたリント等はトラップ３１の後方に設けられたフィルター３３に捕獲される。
【００３２】一定時間が経過すると、水供給口２５から供給される水は少量（毎分約４００ｃｃ）に減らされ、同時に駆動モータ１４が通電されてパルセータ１２が回転を始め、また乾燥装置１９にも通電されて、ヒータ２０に加熱された温風（毎分約１０００リットル）が送風機２１により蛇腹Ａ２７を通って受筒３の上部から洗濯槽７内の洗濯物に向かって吹き出される。この温風によりパルセータ１２に撹拌された洗濯物から水分が徐々に蒸発し、水分を含んだ温風は先濯槽７の小孔５を通じて受筒３に送られ、その後受筒３の下部から仕切弁２９、蛇腹Ｂ２８を通過して後方の熱交換器２２に送られる。そして熱交換器２２の水平部２３に設けられた冷却用の水供給口２５から供給され垂直部２４の下部内側に設けられた水跳ね上げリブ２６にぶつかった少量の冷却水を吹き上げ、噴霧状態にしてその中で冷却水と直接接触し、温風が含んだ水分を凝縮され、除湿が進行する。」
　
　
４　対比
　
　本願発明と引用発明とを対比すると、引用発明の「ドラム１」、「送風ファン１６」、「熱交換器１４」、及び「第２の乾燥用給水弁２２ｂ」は、本願発明の「洗濯槽」、「循環装置」、「除湿器」、及び「給水装置」にそれぞれ相当する。
　
　してみると、本願発明と引用発明との一致点及び相違点は以下の通りである。
　
　
＜一致点＞
「洗濯物を収容する洗濯槽と、この洗濯槽内の前記洗濯物を洗濯する洗濯手段と、洗濯槽内の前記洗濯物を乾燥させる乾燥手段とを有し、
　その乾燥手段が、前記洗濯槽内の空気を循環させる循環装置と、該循環空気の除湿をする除湿器とを具備するものにおいて、
　前記除湿器にこれの清掃に必要な量の給水を行う給水装置を具え、
　その給水装置による給水を、前記洗濯物を乾燥させる乾燥行程中の、前記循環装置による前記洗濯槽内空気の循環を開始させた後に実行する洗濯乾燥機。」
　
　
＜相違点１＞
　本願発明では、洗濯槽内の空気を循環させる循環装置が、「循環空気を下部から上部へ通すと共に該循環空気の除湿をする」ものであり、除湿器における清掃に必要な量の給水を「除湿器における循環空気の流れ方向と対向する向きで上部より行う」のに対して、引用発明では、循環空気の流れの方向、給水の方向及び給水の位置については規定していない点。　
　
＜相違点２＞
　本願発明では、給水装置による給水を「洗濯槽内空気の循環を停止させた状態で実行する」のに対して、引用発明では、給水時洗濯槽内空気が循環しているか否か不明である点。
　
　
５　相違点についての検討（容易想到性の判断）
　
　上記各相違点について検討する。
　
（１）＜相違点１＞について
　洗濯乾燥機の乾燥手段において、循環空気を下部から上部へ通すと共に該循環空気の除湿をすることは周知の技術であり（例えば、上記刊行物２の【００２２】段落及び【図２】、特開平１１−３４７２８１号公報の【００２４】〜【００２５】段落及び【図２】参照。以下「周知技術１」という。）、また、除湿器における清掃に必要な量の給水を除湿器における循環空気の流れ方向と対向する向きで上部より行うことも周知の技術（例えば、上記刊行物２の【００２２】及び【００３１】段落並びに【図２】、特開平１１−３４７２８１号公報の【００２４】〜【００２５】及び【００２７】段落並びに【図２】参照。以下「周知技術２」という。）である。
　よって、引用発明の洗濯乾燥機に上記周知技術１及び２を適用し、上記相違点１でいう本願発明のような構成とすることは、当業者であれば容易に想到し得る程度の事項にすぎない。
　
（２）＜相違点２＞について
　上記摘記事項（オ）から明らかなとおり、刊行物２には、給水装置による清掃のための給水を、洗濯槽内空気の循環を停止させた状態で実行する技術が記載されている。
　引用発明の洗濯機も、刊行物２に記載の技術も、ともに除湿器に必要な量の給水を行い清掃をするものであるから、よって、引用発明の洗濯乾燥機に刊行物２に記載の技術を適用し、本願発明のように、給水装置による給水を、「洗濯槽内空気の循環を停止させた状態で実行する」程度のことは当業者であれば容易に想到し得る程度の事項にすぎない。　
　なお、本願の明細書【００４８】段落には、「除湿器３８の清掃給水の実行中には、送風機３０を停止させて洗濯槽１９内空気の循環を停止させるようにしている（ステップＳ１２１）。これにより、除湿器３８の清掃給水の流水が、除湿器３８内における循環空気の通り（流水の方向とは逆の流れ）に邪魔されることなく円滑に行われ、その分、リントの洗い流しも円滑に行われる」と記載されているが、洗濯槽内の空気が循環している状況下において、リントや供給された水が巻き上げられることは、周知である（例えば、特開２００３−７９９８７号公報の【００１３】段落及び特開２００３−１１７２８３号公報の【００１０】段落参照。）。　
　
　
　そして、本願発明の作用効果は、引用発明、上記刊行物２に記載された技術並びに上記周知技術１及び２から、当業者であれば予測できる範囲のものにすぎない。
　
　したがって、本願発明は、引用発明、上記刊行物２に記載された技術並びに上記周知技術１及び２に基づいて当業者が容易に発明をすることができたものである。
　
　
６　むすび
　
　以上のとおり、本願発明は、特許法第２９条第２項の規定により特許を受けることができないものであるから、他の請求項について検討するまでもなく、本願は拒絶すべきものである。
　
　
　よって、結論のとおり審決する。